(57)【特許請求の範囲】
【請求項１】
インプラント体は、筒状のインプラント本体と拡開部材とから成るとともに前記インプラント本体は、長さ方向の所要部位に配設した複数の拡開部を備え、前記拡開部材は、前記インプラント本体の複数の拡開部を径方向の外側に拡開し得るように構成して成るとともに、
前記インプラント本体の各拡開部は、スリット部を介して径方向の外側に拡開し得るように形成するとともに前記拡開部材は、前記インプラント本体の軸心方向に装入した拡開ねじ体にて形成するとともにこの拡開ねじ体の長さ方向間の、前記インプラント本体の各拡開部との対向位置に突出した凸部とから形成され、当該拡開ねじ体をインプラント本体の軸心にて所要角度回転することにより、各凸部にてこれに対向するインプラント本体の各拡開部を外側に拡開し得るように構成して成るインプラント体において、
前記インプラント本体は、前記拡開ねじ体の頭部の係止段部を備え、このインプラント本体の係止段部と、これに係止される拡開ねじ体の頭部との接合面間に、インプラント本体の植立状態において、インプラント本体の内部に細菌等が侵入するのを阻止するシール部を設けるとともに前記インプラント本体の一部に抜孔を設け、かつ前記拡開ねじ体に貫通孔を設けて、緩み止めピンを抜孔から貫通孔に挿入する事で、前記拡開ねじ体を定位置に固定して、前記インプラント本体の各拡開部の投入を阻止することができるようにし、さらに、前記インプラント本体の係止段部の下側と前記緩み止めピン間に位置せしめて、前記拡開ねじ体の外周にウェーブワッシャを嵌め付けることにより、前記インプラント本体と拡開ねじ体との接合面間におけるシール部と相俟って、インプラント本体の内部に細菌等が侵入することを阻止することができるように構成したことを特徴とするインプラント体。
【請求項２】
前記シール部は、前記インプラント本体の係止段部のテーパー面と、これに係止される前記拡開ねじ体の頭部のテーパー面との接合面にて構成したことを特徴とする請求項１記載のインプラント体。
【請求項３】
前記シール部の両テーパー面は、前記インプラント本体の係止段部の落とし込み溝のテーパー面と、前記拡開ねじ体の頭部外周縁下部のテーパー面にて構成したことを特徴とする請求項２記載のインプラント体。
【発明の詳細な説明】
【０００１】
【発明の属する技術分野】
本発明は顎骨に歯科技工上の構造体を固定するインプラント体に関する。
【０００２】
【従来の技術】
従来、顎骨に義歯を固定するインプラント体としては、顎骨内に挿入する第１のインプラント構成部材（ベース部材）と、この第１のインプラント構成部材に結合して、歯科技工上の構造体を支持する第２のインプラント構成部材（ホルダー部材）とから構成する発明が、例えば特開平７−２３９８３号あるいは特開平８−１９６５４８号公報にて公開されている。
【０００３】
しかして、前記インプラント体の実施に当たっては、第１のインプラント構成部材を顎骨の所要位置に植立した後、再びその部分の歯肉を縫合して、所要期間待ち、顎骨が成長することによりインプラント構成部材が顎骨に強固に固着するようにする。
【０００４】
すなわち、前者の発明は、顎骨に義歯を固定する装置で、図３６に示す如く顎骨４１に挿入できるベース４４、ホルダー４５およびスリーブ４６を有する義歯４９を顎骨４１に固定する装置４３の提供を目的とする。
【０００５】
又、その構成は、ベース４４には、端面４４ｄに流入する内ネジ４４ｇおよび拡大部４４ｈを有する穴４４ｅの流入部を取り囲む円錐状のリング面４４ｋとがある。ホルダー４５には、装置を組み立てる時にスリーブ４６を貫通し、ベース４４の内ネジ４４ｇにネジ込まれるネジ部分４５ｃと、ベース４４の外にあり義歯４９を止めるために使用される外部部分４５ｂとがある。装置４３を組み立てる時には、スリーブ４６が穴４４ｃの拡大部４４ｈの中に着座し、円錐状の外面４６ａでベース４４の円錐状の内面４４ｉに固定接触する。更に、ホルダー４５の外部部分４５ｂは円錐状の当接４５ｇでベース４４のリング面４４ｋに固定接触する。ホルダー４５は、装置を組み立てる時、ベース４４に安定に連結し、ベースの端面を継目なしに覆うものである。
【０００６】
さらに、前記後者の発明は、２相の歯用インプラントで、段階的に位置決め可能で、かつ遊びのない２相の歯用インプラントの提供を目的とする。
【０００７】
同インプラントの構成は、図３７に示す如く、第１のインプラント構成部材５７内の受容開口６４が錐形であり、かつこの中へ嵌合した第２のインプラント構成部材がこれに適合する錐形であり、第２のインプラント構成部材６１が中央の孔５３によって貫通せしめられており、この孔内に引張りねじ５４の径を細く形成された円筒状の軸部が位置しており、引張りねじがおねじの固定ねじ山を有する拡大された端部５８を備えており、固定ねじ山が受容開口６４の延長部内に延びた袋穴６６のめねじ６５へ嵌め込まれることにより構成されている。
【０００８】
【発明が解決しようとする課題】
さて、前記の特開平７−２３９８３号等のインプラント体の場合には、一旦第１のインプラント構成部材を顎骨内に植立した後、同部材が顎骨の成長によって、強固に固着するのを待って、再び同部材の植立部の歯肉を切開し、前記第１のインプラント構成部材の上部を露出させつつ、以後の歯科技工上の構造体の固着作業を続ける必要があった。
【０００９】
従って、患者は前記第１のインプラント構成部材の植立後、通常半年間は、十分な咀嚼機能を回復できず不便な生活を強いられるばかりでなく前記作業の開始時における第１のインプラント構成部材の植立部の歯肉部を切開するという肉体的苦痛をも伴うものであった。
【００１０】
要するに、前記公開技術によるインプラント体は、抜歯直後の抜歯窩へ植立するのは不可能であった。
【００１１】
すなわち、抜歯窩の形状には個人差があり第１の円筒状のインプラント構成部材を抜歯窩に植立しても顎骨または／および歯槽骨との密着面積が小さく、強度的にも十分な固着が得られない。従って、通常抜歯後、数年間、抜歯窩が完全になくなる迄待たなければならず、加えて、抜歯窩のあとは、顎骨または／および歯槽骨が薄くなることが知られており、前記第１のインプラント構成部材の植立自体が難しくなるケースが頻繁に生じているのが現状である。
【００１２】
因って、本発明者等は、前記従来のインプラントに於ける欠点を解消すべく特願平９−１９０８２４号および特願平９−２２７８０９号に係わるインプラント体の発明を提案したところである。
【００１３】
そして、本発明者等は、前記両発明に於けるインプラント体により、達成し得る抜歯窩等との間の保持力の増大による、即日可能な人工歯牙の形成に加えて、特に、インプラント本体の植立状態においてインプラント本体内に細菌等の侵入を防止し得るインプラント体の提供を目的とする。
【００１４】
【課題を解決するための手段】
本発明の請求項１の発明は、前記課題を解決するために、インプラント体は、筒状のインプラント本体と拡開部材とから成るとともに前記インプラント本体は、長さ方向の所要部位に配設した複数の拡開部を備え、前記拡開部材は、前記インプラント本体の複数の拡開部を径方向の外側に拡開し得るように構成して成るとともに、前記インプラント本体の各拡開部は、スリット部を介して径方向の外側に拡開し得るように形成するとともに前記拡開部材は、前記インプラント本体の軸心方向に装入した拡開ねじ体にて形成するとともにこの拡開ねじ体の長さ方向間の、前記インプラント本体の各拡開部との対向位置に突出した凸部とから形成され、当該拡開ねじ体をインプラント本体の軸心にて所要角度回転することにより、各凸部にてこれに対向するインプラント本体の各拡開部を外側に拡開し得るように構成して成るインプラント体において、前記インプラント本体は、前記拡開ねじ体の頭部の係止段部を備え、このインプラント本体の係止段部と、これに係止される拡開ねじ体の頭部との接合面間に、インプラント本体の植立状態において、インプラント本体の内部に細菌等が侵入するのを阻止するシール部を設けるとともに前記インプラント本体の一部に抜孔を設け、かつ前記拡開ねじ体に貫通孔を設けて、緩み止めピンを抜孔から貫通孔に挿入する事で、前記拡開ねじ体を定位置に固定して、前記インプラント本体の各拡開部の投入を阻止することができるようにし、さらに、前記インプラント本体の係止段部の下側と前記緩み止めピン間に位置せしめて、前記拡開ねじ体の外周にウェーブワッシャを嵌め付けることにより、前記インプラント本体と拡開ねじ体との接合面間におけるシール部と相俟って、インプラント本体の内部に細菌等が侵入することを阻止することができるように構成したことを特徴とする。
【００１５】
そして、請求項２の発明は、請求項１におけるシール部を、前記インプラント本体の係止段部のテーパー面と、これに係止される前記拡開ねじ体の頭部のテーパー面との接合面にて構成したことを特徴とする。
【００１６】
さらに、本発明の請求項３の発明は、請求項２におけるシール部の両テーパー面を前記インプラント本体の係止段部の落とし込み溝のテーパー面と、前記拡開ねじ体の頭部外周縁下部のテーパー面にて構成したことを特徴とする。
【００１８】
以下に、本発明の実施の形態を詳細に説明する。
【００１９】
（実施の形態１）
図１乃至図５は、本発明の実施の形態１のインプラント体１及びその形成方法を示すものである。
【００２０】
図１に示すインプラント体１は、チタン又はステンレスにアパタイト等をコーティングして生体への親和性の良い材料を用いて略円筒状に形成したインプラント本体２を具備している。尚、このインプラント本体２は、円筒状とする他、臼歯部の抜歯窩での使用状態を考慮すると四角筒状等の多角形状とすることも可能である。
【００２１】
前記インプラント本体２には、顎骨または／および歯槽骨との密着性を高めるためと、上方からかかる咀嚼による力を分散させるために、筒状体の外周にねじ部２ａが設けられている。また、インプラント本体２には、少なくとも一部がこの本体２の肉厚部と分離しない図２に示すようなコの字形状のスリット部３を、例えば本体上部に２箇所、本体中央部及び下部に各々２箇所、合計６箇所設けている。そして、インプラント本体２の上部２箇所のスリット部３は、図２の筒状体上側に示すように本体２の円周方向に長辺が沿い、本体２の長さ方向に短辺が沿う形状としている。また、本体中央部及び下部に各々２箇所ずつ設けたスリット部３は、図２の筒状体下側に示すように本体２の長さ方向に長辺が沿い、本体２の円周方向に短辺が沿う形状としている。尚、スリット部３の部分は外周側から切り込みを入れ、スリット部３を外側へ膨出させ易くするようにして形成することが望ましい。
【００２２】
そして、図１に示す如く、前記インプラント本体２の上部の２箇所のスリット部３に囲まれる領域を各々本体２の外周面から外方に膨出させて、２個の膨出部４ａ，４ｂとし、本体２の中央部の２箇所のスリット部３に囲まれる領域を各々本体２の外周面から外方に膨出させて、本体２の上方に向けて開口した２個の膨出部５ａ，５ｂとし、さらに、本体２の下部の２箇所のスリット部３に囲まれる領域を各々本体２の外周面から外方に膨出させて、本体２の下方に向けて開口した２個の膨出部６ａ，６ｂとしている。
【００２３】
これら各膨出部４ａ，４ｂ，５ａ，５ｂ，６ａ，６ｂの形状は、コの字形状の他、これと近似した山形状、略半円状、台形状等とすることができる。
【００２４】
前記インプラント本体２の内側は、図３に示すように長さ方向或いは円周方向に沿ってテーパー状に加工されている。
【００２５】
このテーパー状の加工について以下に説明する。外形加工をしたインプラント体１の本体２の一方の端部から図３に示すように偏心した孔７ａ，７ｂ，７ｃを他方の端部を貫通する若干手前まで開ける。さらに、孔７ａ，７ｂ，７ｃにより形成される本体２の内周におけるテーパ部８を損なわないようなサイズの孔９を本体２の中心に沿って貫通するように開ける。さらに、３箇所の孔７ａ，７ｂ，７ｃにより形成される本体２の内周におけるテーパ部８を含むような孔（図示せず）をインプラント体１の本体２の上部に開ける。以上の孔加工はドリルでの加工以外にも放電加工等によって行なうことも可能である。次に、一番大きな孔の途中まで雌ねじを切る。
【００２６】
前記膨出部４ａ，４ｂ，５ａ，５ｂ，６ａ，６ｂを拡開させる拡開ねじ体１０について図４を参照して説明する。この拡開ねじ体１０の下端はインプラント体１の本体２の下端の孔に嵌合し、拡開ねじ体１０に設けた任意数の凸部１１ｂはインプラント体１の本体２内のテーパー部分に沿って回転し、図５に示すようにテーパー部分を外側へ押し開き、膨出部４ａ，４ｂ，５ａ，５ｂ，６ａ，６ｂを形成する。上端部は本体２の上部の孔に嵌合する。拡開ねじ体１０の上端部に設けた溝１１ｅは、手動による回転力を与えるものである。
【００２７】
又、この拡開ねじ体１０の上端部１１ａの内側端面１１ｄは、当該拡開ねじ体１０を本体２内に挿入した際、本体２の上端部２ｄ（図１参照）の内側に設けた拡開ねじ体１０の頭部１１ａの係止段部（図示しない）と接合した状態にて装着される。
【００２８】
そして、内側端面１１ｄと本体２の上端部２ｄの内側に設けた係止段部の接合面間に水密、気密性を有するシール部（図示しない）を設けることにより、インプラント本体２の植立状態において、インプラント本体２内に細菌等の侵入を阻止することができる。
【００２９】
前記シール部としては、拡開ねじ体１０の上端部１１ａの内側端面１１ｄと本体２の同端面１１ｄとの係止段部の両接合面の表面処理により形成することができる。
【００３０】
その実施の形態としては、端面１１ｄと係止段部の表面を両接合面のシール性を確保し得る精密な表面加工を施すことにより形成したり、あるいは、水密、気密性を備える塗膜処理並びにシール部材の介在その他のシール性を確保し得る表面処理にて実施する。
【００３１】
前記凸部１１ｂの外周面に設けた段部１１ｃは、図５に示す如く前記本体２内のテーパー部分の角部１２に係合し、拡開ねじ体１０を定位置に固定する。このようにして、図１に示すような本体２を形成することができる。
【００３２】
膨出部４ａ，４ｂをインプラント体１の最上部に設ければ顎骨または／および歯槽骨の緻密な部分へ拡張することができ強力な保持力を発揮する。また、膨出部４ａ，４ｂの向きは顎骨または／および歯槽骨の薄い患部に対応する短いインプラント体１に使用することもできる。さらに、臼歯部の抜歯窩のように先端が二つないしは三つに分岐しているような場合、従来の拡張形のインプラント体では対応が不可能であったが、このタイプの短いインプラント体１により臼歯部への適応が可能になった。
【００３３】
前記膨出部６ａ，６ｂのようにインプラント体１の下方向きに設けた場合には、咀嚼時に上方からインプラント体１にかかる力に対して大きな保持力を有することになる。膨出部６ａ，６ｂの膨出によって骨密度が増した部分が有効に作用すると言える。
【００３４】
（実施の形態２）
次に、本発明の実施の形態２について図６乃至図９を参照して説明する。本実施の形態２のインプラント体１は、筒状体の外周にねじ部２１を設けるとともに周壁部を貫くコの字形状の任意のスリット部２２を設け、かつこの各スリット部２２により囲まれる領域の内周側に例えば上下合計３箇所の受凸部２３を設けた筒状のインプラント本体２０の内部に、図６及び図７に示すような頭部２５ａを有するとともに外周における前記各受凸部２３に各々対応する位置に上下合計３箇所の膨出凸部２４を設けた拡開ねじ体２５を挿入し、このねじ体２５の頭部２５ａを回転し、前記受凸部２３を拡開ねじ体２５の膨出凸部２４により外方（インプラント体１Ａの長さ方向、外周方向）に膨出させてスリット部２２により囲まれる領域を任意数の膨出部２７とし、図１に示す場合と同様な形状を有する図７に示すインプラント体１Ａとするものである。
【００３５】
又、インプラント本体２０内に拡開ねじ体２５を挿入し、本体２０の上端部２０ｄの内側に設けた、拡開ねじ体２５の係止段部２０ｅに拡開ねじ体２５の頭部２５ａを係合せしめた状態にて装着するものであるが、頭部２５ａと係止段部２０ｅとの接合面には、前記したように、実施の形態１と同様のシール部を形成するものである。
【００３６】
そして、前記シール部の実施の形態については、図６，図７に示すように、前記本体２０の一部に抜孔２０ａを設け、拡開ねじ体２５にも貫通孔２８を設けて、緩み止めピン２９を抜孔２０ａから貫通孔２８に挿入する事で、拡開ねじ体２５を定位置に固定して膨出部２７が本体２０側に没入しない構成とする事ができる。この場合、本体２０の係止段部２０ｅの下側と前記ピン２９間に位置せしめて拡開ねじ体２５の外周にウェーブワッシャ（又は皿ばね体）３０を嵌め付け、上述した頭部２５ａの下面と、この頭部２５ａの下面が接合する本体２０の係止段部２０ｅの上面との表面加工と相俟って、拡開ねじ体２５と本体２０との間から細菌等が本体２０内に侵入することを防止することができる。また、前記緩み止めピン２９と抜孔２０ａとの間、緩み止めピン２９と貫通孔２８との間にも各々円筒状のシール部材を介在するようにすれば本体２０内への細菌等の侵入をより完璧に防止できる。
【００３７】
図８は、前記拡開ねじ体２５に設けた膨出部２７の膨出動作を示すものである。膨出凸部２４は拡開ねじ体２５の軸部２５ｂに対して、例えば１８０度対称配置に前記軸部２５ｂの直径（Ｄ）よりも大きい突出長（Ｌ）となるように全体として楕円を呈するように形成され、拡開ねじ体２５を図８に示す矢印方向ａに９０度回転することで、膨出部２４の両突出端を対応する受凸部２３に当てて外方に押し出すことで、スリット部２２により囲まれる領域を膨出部２７とするものである。膨出凸部２４としては、図９に示すような形状、即ち、前記軸部２５ｂに  対して１８０度対称配置に外方に突出させた段差付きのカム形状で、かつ、外周部にねじ状部２４ａを備えたものを用いる事もできる。この場合、膨出凸部２４により拡開される受凸部２３側にもねじ状部２３ａを設ける事で、拡開ねじ体２５を図８に示す如く矢印方向に９０度回転したとき、膨出凸部２４を受凸部２３に螺合せしめつつ膨出部２７を形成できる。
【００３８】
尚、インプラント体１Ａに対する加工は、外形加工をしたインプラント体１Ａの一方の端部から内部を貫通する孔を開け、さらにスリット部２２により囲まれる領域の内周側に受凸部２３を設ける。また、放電加工を利用してもインプラント体１Ａの加工を実施できる。
【００３９】
（実施の形態３）
次に、図１０乃至１４を参照して本発明の実施の形態３のインプラント体１Ｂについて説明する。このインプラント体１Ｂは、筒状体の外周にねじ部３１を設け、周壁部を貫くコの字状の任意のスリット部３２（図１０において上側部は図１２に示すように本体３０の円周方向、下部側は本体２０の長さ方向）を設け、また、スリット部３２の下側に、図１４にも示すようにねじ３３ｂを有する筒状で、その外周から１８０度対称配置に最突出端から内方に至る上昇勾配の押上凸部３３ａを設けた押上体３３が挿通可能な空隙部３４（この空隙部３４はスリット部３２の一辺を大きく切り欠くことで形成される）を設けた筒状のインプラント本体３０に対して、この本体３０の上部から前記空隙部３４に挿通された押上体３３のねじ３３ｂに螺合しつつ拡開ねじ体３５を挿入することにより構成される。
【００４０】
そして、拡開ねじ体３５を回転させて前記押上体３３を上昇させ、押上体３３の押上凸部３３ａの上昇力を前記スリット部３２により囲まれる領域の内周側に作用させて外方に膨出させ、これにより、上部側は図１１に示すように本体３０の円周方向に膨出する任意数の膨出部３６Ａとし、下部側は本体３０の長さ方向の斜め下方に膨出する膨出部３６Ｂとし、これによりインプラント体１Ｂを形成するものである。
【００４１】
前記実施例の形態１，２のインプラント体１，１Ａと同様に、インプラント本体３０の上端部３０ｄの内側に設けた、拡開ねじ体３５の頭部３５ａとの係止段部３０ｅ間の接合面には、シール部を設けるものである。
【００４２】
図１３は、本体２０の円周方向に膨出して形成される前記膨出部３６Ａの形状を示すものであり、この膨出部３６Ａは、上部が厚く形成されるとともに、その内周側において最下端から斜めに上方に向かって最も側方に突出した稜線３７を有し、前記押上体３３の押上凸部３３ａが上昇するとき、押上凸部３３ａの傾斜面が常に稜線３７に沿って接触するようにして、膨出部３６Ａを円周方向に膨出させるものである。
【００４３】
（実施の形態４）
図１５、図１６は、前記インプラント体１の使用例を概略的に示すものであり、図１５に示すように、上向きの膨出部５ａ，５ｂと、下向きの膨出部６ａ，６ｂとを有するインプラント体１を使用し、これらを隣接して膨出部５ａ，５ｂ、膨出部６ａ，６ｂの位置を調整しつつ抜歯窩１５に植立することにより、これらが互いに干渉することなく抜歯窩１５に高密度で植立することが可能となる。
【００４４】
また、インプラント体１の任意の箇所から膨出部４ａ，４ｂ，５ａ，５ｂを膨出させることで、図１６に示すように不安定な抜歯窩１６にもこのインプラント体１を埋め込むことができる。
【００４５】
以上説明した実施の形態１〜４によれば、抜歯窩へのインプラント体１の植立が可能となり、以下の説明のようにインプラント体１の適応症例を飛躍的に拡大させる。即ち、通常咀嚼により歯牙からの力により顎骨がわずかに歪み、微小な電位が顎骨に生じる。この電位に血液中のカルシウムイオンが引き寄せられ、歯槽骨へのカルシウム成分の補給を行なっている。
【００４６】
従来のインプラント体では抜歯窩が完全に塞がるのを待つ必要があったが、この間には抜歯部の顎骨には十分なカルシウム成分は供給されない。また、抜歯窩を周辺の骨成分が埋めようとするので顎骨が薄く脆弱になり、インプラント体が植立できないケースが上顎で約８０％、下顎で３０％あるのがインプラント体を処置する際の最大のネックであった。
【００４７】
又、抜歯窩へインプラント体１，１Ａ，１Ｂを植立してもインプラント体１，１Ａ，１Ｂの上下各部に膨出部４ａ等を設けることができるので、埋め込みの為の穴が完全な円で無くても良く、抜歯直後にインプラント体１，１Ａ，１Ｂを顎骨または／および歯槽骨へ植立できる。
【００４８】
従って、インプラント体１，１Ａ，１Ｂの不適合な症例は極めて限られたケースとなる。抜歯窩は不定形であり、従って従来の非拡張形インプラント体を埋め込むのは不可能である。また、従来の拡張形インプラント体もこのインプラント体の下部のみしか拡開しないため不可能であった。本実施の形態によれば、インプラント体１，１Ａ，１Ｂの各所を膨出できるので、不定型な抜歯窩にもインプラント体１，１Ａ，１Ｂを埋め込むことができる。
【００４９】
現在、インプラント体を扱う術者はごく限られた人数しかいない。その主な原因は、顎骨に穴を開けるという高度な技術を要求されるためである。穴の深さ、方向に細心の注意を払わなければ、直ちに医療事故につながる事態が生じるが、抜歯窩がそのままインプラント体１，１Ａ，１Ｂの埋め込みのための穴として利用できるのであれば遥かに容易に、そして安全にインプラント体１，１Ａ，１Ｂの植立を行なうことが可能となる。
【００５０】
さらに、前記インプラント体１，１Ａ，１Ｂによれば、抜歯窩の複数箇所に膨出部を当てて支持で きるので、インプラント体１，１Ａ，１Ｂに作用する曲げモーメントに対しても従来例の場合よりも強くなるという利点がある。
【００５１】
そして、実施の形態１〜３においては、インプラント本体２０とこの本体２０の所要部位を外側に拡開する拡開部材としての拡開ねじ体１０，２５，３５により構成されるインプラント体１，１Ａ，１Ｂにおいて、特に拡開ねじ体１０，２５，３５の頭部１１ｄ，２５ａ，３５ａとこれを係止する本体２０の係止段部２０ｅとの接合面にシール部を形成することにより、インプラント本体２０内に対する同部からの細菌の進入を防止することができる。
【００５２】
尚、以上の実施の形態１〜３については、インプラント本体２０内に拡開ねじ体１０，２５，３５を挿入し、インプラント本体２０の所要部位を外側に拡開する実施の形態について適用した場合の前記シール部の構成を具体的に示したのであるが、前記シール部の構成については、インプラント本体とこのインプラント本体の所要部位を外側に拡開する拡開部材とから成るインプラント体について実施する形態のすべてに適用し得るもので、実施の形態１〜３に限定されるものではない。
【００５３】
更に、インプラント体１，１Ａ，１Ｂは歯科技工上の構造体を支持する場合の具体的な説明はしていないが、これに対して、歯科技工上の義歯等の構造体を取り付ける場合には、これを取り付けるに必要な取り付け部（図示しない）を前記各実施例の形態１〜３のインプラント体１，１Ａ，１Ｂにあらかじめ形成しておくか、あるいは、前記構造体のホルダーを各インプラント体１，１Ａ，１Ｂの上端部に結合しつつ構成するものである。尚、図３３は、実施の形態１のインプラント１を歯槽骨１７に植立後、義歯１８をホルダー１９を介して取り付けた状態を示したものである。
【００５４】
（実施の形態５）
図１７〜図２１は、実施の形態５を示すものである。
但し、本実施例の形態５は、前記実施の形態１におけるインプラント体１の構成中インプラント本体２の外周にねじ部２ａを設けた実施に換えてねじ部２ａを形成しない場合の実施の形態を示すものである。
【００５５】
従って、インプラント本体２の外周にねじ部２ａを形成しない構成以外の構成は実施の形態１と同様であるので、同一構成部分には同一番号を付して詳細な説明は省略する。
【００５６】
（実施の形態６，７）
図２２〜３０は、実施の形態６，７を示し、実施の形態５と同様にインプラント本体２０，３０の外周にねじ部を形成しない実施の形態を示すものである。
前記実施の形態２および３のインプラント体１Ａ，１Ｂの構成についても、図６〜９の実施の形態２、そして図１０〜１４の実施の形態３の両実施の形態のインプラント体１Ａ，１Ｂのインプラント本体２０及び３０は、ともに外周に、実施の形態１の本体２と同様に、ねじ部２１，３１を設け、顎骨または／および歯槽骨との密着性を高め、かつ上方からかかる咀嚼による力を分散させることができるようにした場合を示している。
【００５７】
従って、図６〜１４の実施の形態２，３のインプラント体１Ａ，１Ｂの本体２０，３０の外周にねじ部２ａに換わるねじ部２１，３１を備えるものに換えて前記図１７〜２１の実施の形態４に対応する、図６〜１４の本体２０の外周にねじ部２１，３１、を備えない実施が可能であることを実施の形態６，７にて挙げることができ、それは、図２２〜３０の構成によって実施することができ、具体的構成は図６〜１４の実施の形態と全く同一の構成であるので図中同一構成部分には同一番号を付して詳細な説明は省略する。
【００５８】
（実施の形態８）
図３１，３２は前記各実施の形態５〜７のインプラント１，１Ａ，１Ｂの使用例を示すものである。尚、前記インプラント本体２，２０，３０によるインプラント体１，１Ａ，１Ｂによる使用例については図１５，１６の使用説明と同様であるので詳細な説明は省略する。
【００５９】
（実施の形態９）
図３４は実施の形態９を示す部分拡大断面図で、実施の形態１〜３，６，７，におけるインプラント本体２０，３０の係止段部２０ｅ，３０ｅと拡開ねじ体２５，３５の頭部２５ａ，３５ａとの接合面におけるシール部とは別の構成による実施の形態を示すものである。
【００６０】
すなわち、図３４に示す如く、拡開ねじ体１０の頭部１１ａと、インプラント本体２の上端部２ｄ内側部における係止段部２ｅとの接合面１２および１３を互いにテーパー面によって形成することによりシール部１４を形成したものである。
【００６１】
又、同シール部１４の接合面１２，１３のテーパー面は、これの表面処理によって形成することができることは、実施の形態１にて説明した通りである。
【００６２】
因って、インプラント本体２の植立状態において、同シール部１４により、同部１４からインプラント本体２内に細菌等の侵入するのを阻止することができる。
【００６３】
尚、前述にては、図３４中実施の形態１のインプラント体１のインプラント本体２と拡開ねじ体１０に適用した場合について図示したが、同様にしてその他の実施の形態２，３，６，７に適用することも可能で、図３４中にはカッコ内に、上記各実施の形態に適用した場合の符号を図示して、その具体的な説明を省略する。
【００６４】
（実施の形態１０）
図３５は実施の形態１０を示す部分拡大断面図で、図３４のシール部とは別の実施の形態を示すものである。
【００６５】
すなわち、実施の形態９のシール部１４に換えて、頭部１１ａと係止段部２ｅとの接合面１２のテーパー面を頭部１１ａの外周縁下部に設けるとともに接合面１３のテーパー面は係止段部２ｅの落とし込み溝１３ａの溝縁に沿って形成し、かつ両テーパー面の表面処理によってシール部１４を形成したものである。
【００６６】
尚、図３５中実施の形態１以外の適用については実施の形態９と同様にカッコ内の符号のより図示し、説明は省略する。
【００６７】
当該実施の形態１０は実施の形態９のシール部１４に比し接合面１２，１３のテーパー面を係止段部２ｅ（２０ｅ，３０ｅ）の落とし込み溝１３ａを形成し、この溝縁に沿って係止段部２ｅ（２０ｅ，３０ｅ）側の接合面１３を形成するとともに頭部１１ａ（２５ａ，３５ａ）側の接合面１２をこれに対応する頭部１１ａ（２５ａ，３５ａ）の外周縁下部に設けたので、インプラント本体２（２０，３０）の植立状態において、同本体内に細菌等の侵入を落とし込み溝１３ａによって、一旦緩衝せしめる作用が発揮される。
【００６８】
すなわち、実施の形態９のシール部１４の場合には、インプラント本体２（２０，３０）内への細菌等の侵入は、シール部１４にて直接阻止しなければならないのに対して、実施の形態１０の場合には、落とし込み溝１３ａがシール部１４の副次的なシール作用を発揮し構成上間接的となる。
【００６９】
以上の実施の形態によれば、本発明のインプラント体において、以下の構成要旨から成るインプラント体を得ることができる。
【００７０】
インプラント体は、筒状のインプラント本体と拡開部材とから成るとともに前記インプラント本体は、長さ方向の所要部位に配設した複数の拡開部を備え、前記拡開部材は、前記インプラント本体の複数の拡開部を径方向の外側に拡開し得るように構成して成ることを特徴とするインプラント体。
【００７１】
前記インプラント本体の各拡開部は、スリット部を介して径方向の外側に拡開し得るように形成するとともに前記拡開部材は、前記インプラント本体の軸心方向に装入した拡開ねじ体にて形成するとともにこの拡開ねじ体の長さ方向間の、前記インプラント本体の各拡開部との対向位置に突出した凸部とから形成され、当該拡開ねじ体をインプラント本体の軸心にて所要角度回転することにより、各凸部にてこれに対向するインプラント本体の各拡開部を外側に拡開し得るように構成したことを特徴とするインプラント体。
【００７２】
前記インプラント本体の各拡開部は、インプラント本体の径方向または／およびインプラント本体の軸心方向との直交方向に拡開する拡開部を配設して成ることを特徴とするインプラント体。
【００７３】
前記インプラント本体は、外周の全面または所要部位にネジ部を突設して構成したことを特徴とするインプラント体。
【００７４】
前記拡開ねじ体は、外周にねじ部を螺設するとともに前記インプラント本体には、所要部位に空隙部を配設し、前記拡開ねじ体のねじ部に螺合するねじ部を備える押上体を前記空隙部内に装入した後、前記拡開ねじ体をインプラント本体の軸心に回転自在に装入するとともに空隙部内に装入される押上体のねじ部を拡開ねじ体のねじ部に螺合せしめて構成し、前記拡開ねじ体を回転することにより押上体を拡開ねじ体のねじ部に沿って螺進しつつ上昇し、インプラント本体の所要位置に配設される拡開部を外側に拡開し得るように構成したことを特徴とするインプラント体。
【００７５】
前記インプラント本体は、前記拡開ねじ体の頭部の係止段部を備え、この係止段部と頭部の接合面間に、インプラント本体の植立状態に於いて、インプラント本体の内部に細菌等が侵入するのを阻止するシール部を設けることにより構成したことを特徴とするインプラント体。
【００７６】
前記シール部は、拡開ねじ体の頭部のテーパー面とインプラント本体の係止段部のテーパー面との接合面にて構成したことを特徴とするインプラント体。
【００７７】
前記シール部の両テーパー面はインプラント本体の係止段部の落とし込み溝のテーパー面と拡開ねじ体の頭部外周縁下部のテーパー面にて構成したことを特徴とするインプラント体。
【００７８】
【発明の効果】
本発明によれば、インプラント体を、インプラント本体の所要部位を外側に拡開し得るように構成することにより、従来のインプラント体に比較して植立直後から強力な保持力を発揮し、即日の歯科技工上の構造体の施術をも可能ならしめ得るとともに顎骨または／および歯槽骨が薄くなることを防止し得るインプラント体を提供することができる。
【００７９】
又、特に前記構成のインプラント体において、インプラント本体の植立状態において、インプラント本体の内部に細菌の侵入を阻止するシール部を設けたので、前記インプラント体における細菌の繁殖を阻止し得る。
【図面の簡単な説明】
【図１】本発明の実施の形態１のインプラント体を示す正面図である。
【図２】本発明の実施の形態１のインプラント本体におけるスリット部の方向を示す説明図である。
【図３】本発明の実施の形態１のインプラント本体の加工状態を示す説明図である。
【図４】本発明の実施の形態１のインプラント体の拡開ねじ体を示す斜視図である。
【図５】本発明の実施の形態１のインプラント本体の拡開工程を示す説明図である。
【図６】本発明の実施の形態２のインプラント体を示す断面図である。
【図７】本発明の実施の形態２のインプラント本体の拡開状態を示す断面図である。
【図８】本発明の形態２のインプラント本体の膨出凸部の動作を示す説明図である。
【図９】本実施例の形態２のインプラント本体の膨出凸部の他例を示す説明図である。
【図１０】本発明の実施の形態３のインプラント体を示す断面図である。
【図１１】本発明の実施の形態３のインプラント本体の拡開状態を示す断面図である。
【図１２】本実施の形態３のインプラント本体の膨出部を示す部分斜視図である。
【図１３】本実施の形態３のインプラント本体の膨出部の拡大図である。
【図１４】本実施の形態３のインプラント本体の押上体を示す斜視図である。
【図１５】本発明の実施の形態１〜３のインプラント体の使用例を示す概略図である。
【図１６】本発明の実施の形態１〜３のインプラント体の他の使用例を示す概略図である。
【図１７】本発明の実施の形態５のインプラント体を示す正面図である。
【図１８】本発明の実施の形態５のインプラント本体におけるスリット部の方向を示す説明図である。
【図１９】本発明の実施の形態５のインプラント本体の加工状態を示す説明図である。
【図２０】本発明の実施の形態５のインプラント体の拡開ねじ体を示す斜視図である。
【図２１】本発明の実施の形態５のインプラント本体の拡開工程を示す図である。
【図２２】本発明の実施の形態６のインプラント体の断面図である。
【図２３】本発明の実施の形態６のインプラント体の拡開状態を示す断面図である。
【図２４】本発明の実施の形態６のインプラント本体の膨出凸部の動作を示す説明図である。
【図２５】本実施の形態６のインプラント本体の膨出凸部の他例を示す説明図である。
【図２６】本発明の実施の形態７のインプラント体を示す断面図である。
【図２７】本発明の実施の形態７のインプラント本体の拡開状態を示す断面図である。
【図２８】本実施の形態７のインプラント本体の膨出部を示す部分斜視図である。
【図２９】本実施の形態７のインプラント本体の膨出部の拡大図である。
【図３０】本実施の形態７のインプラント本体の押上体を示す斜視図である。
【図３１】本発明の実施の形態５〜７のインプラント体の使用例を示す概略図である。
【図３２】本発明の実施の形態５〜７のインプラント体の他の使用例を示す概略図である。
【図３３】本発明の実施の形態１のインプラント体の使用例を示す説明図である。
【図３４】本発明の実施の形態９のインプラント体の一部拡大断面図である。
【図３５】本発明の実施の形態１０のインプラント体の一部拡大断面図である。
【図３６】従来のインプラント体の実施の形態を示す断面図である。
【図３７】従来のインプラント体の実施の形態を示す断面図である。
【符号の説明】
１，１Ａ，１Ｂ  インプラント体
２，２０，３０  インプラント本体
２ａ，２１，３０  ねじ部
２ｄ，２０ｄ  インプラント本体の上端部
２ｅ，２０ｅ，３０ｅ  係止段部
３，２２，３２  スリット部
４ａ，４ｂ，５ａ，５ｂ，６ａ，６ｂ  膨出部
７ａ，７ｂ，７ｃ  孔
８  テーパー部
１０，２５，３５  拡開ねじ体
１１ａ，２５ａ，３５ａ  拡開ねじ体の頭部
１１ｂ  拡開ねじ体の凸部
１１ｃ  拡開ねじ体の段部
１１ｄ  拡開ねじ体の頭部の内側端面
１１ｅ  拡開ねじ体の溝
１２  角部
１２，１３  接合面
１３ａ  落とし込み溝
１４  シール部
１５，１６  抜歯窩
１７  歯槽骨
１８  義歯
１９  ホルダー
２０ａ  抜孔
２３  受凸部
２４  膨出凸部
２４ａ  ねじ状部
２５ｂ  軸部
２７  膨出部
２８  貫通孔
２９  ピン
３０  ウェーブワッシャ
３３  押上体
３３ａ  押上凸部
３３ｂ  ねじ
３４  空隙部
３６Ａ，３６Ｂ  膨出部
３７  稜線
【図１】
0004237843.tif 000002
【図２】
0004237843.tif 000003
【図３】
0004237843.tif 000004
【図４】
0004237843.tif 000005
【図５】
0004237843.tif 000006
【図６】
0004237843.tif 000007
【図７】
0004237843.tif 000008
【図８】
0004237843.tif 000009
【図９】
0004237843.tif 000010
【図１０】
0004237843.tif 000011
【図１１】
0004237843.tif 000012
【図１２】
0004237843.tif 000013
【図１３】
0004237843.tif 000014
【図１４】
0004237843.tif 000015
【図１５】
0004237843.tif 000016
【図１６】
0004237843.tif 000017
【図１７】
0004237843.tif 000018
【図１８】
0004237843.tif 000019
【図１９】
0004237843.tif 000020
【図２０】
0004237843.tif 000021
【図２１】
0004237843.tif 000022
【図２２】
0004237843.tif 000023
【図２３】
0004237843.tif 000024
【図２４】
0004237843.tif 000025
【図２５】
0004237843.tif 000026
【図２６】
0004237843.tif 000027
【図２７】
0004237843.tif 000028
【図２８】
0004237843.tif 000029
【図２９】
0004237843.tif 000030
【図３０】
0004237843.tif 000031
【図３１】
0004237843.tif 000032
【図３２】
0004237843.tif 000033
【図３３】
0004237843.tif 000034
【図３４】
0004237843.tif 000035
【図３５】
0004237843.tif 000036
【図３６】
0004237843.tif 000037
【図３７】
0004237843.tif 000038